(57)【要約】      （修正有）【課題】ツボを刺激すると同時に副交感神経を活性化させる睡眠具を提供する。【解決手段】睡眠具１は、使用者の少なくとも両目、両こめかみ及び頸部を被覆する長さを有する細長形状のタオル地で形成される布材２を備える。布材の長手方向での中央には、多数の粒状体４が充填される袋部３が形成されている。布材の袋部を挟む両側には、それぞれ左右の目とこめかみと対向する収納ポケット５，６が設けられ、各収納ポケットにはそれぞれ通電により発熱するヒーター線が装着された面発熱体７を保持している。睡眠具の使用時、布材は、袋部が使用者の頸部に当たり、収納ポケットが使用者の両目及び両こめかみの周囲のツボと接触するよう面ファスナー１３によって固定される。【選択図】図１
0003218332.tif 000002
【実用新案登録請求の範囲】
【請求項１】
使用者の少なくとも両目、両こめかみ及び頸部を被覆する長さを有する細長形状のタオル地の布材と、
前記布材の長手方向での中央に形成される袋部に内包される多数の粒状体と、
前記袋部を挟む両側にそれぞれ設けられた複数の収納ポケットと、
通電により発熱するヒーター線が装着されており前記収納ポケットにそれぞれ保持される面発熱体と、
使用時に前記布材を、前記袋部で使用者の頸部に当たり、前記収納ポケットで使用者の両目及び両こめかみの周囲のツボと接触するよう固定する固定部と、
を備える睡眠具。
【請求項２】
前記面発熱体は、３７℃から４０℃の範囲内で発熱することを特徴とする請求項１に記載の睡眠具。
【請求項３】
前記面発熱体は、ヒーター線への通電で発熱し、前記ヒーター線にヒーター線にＰＴＣ特性を利用した電流制限素子を接続して成ることを特徴とする請求項２に記載の睡眠具。
【請求項４】
前記ヒーター線への通電を制御する通電タイマーを備えて、前記面発熱体は、発熱開始から一定時間後に発熱を停止することを特徴とする請求項１に記載の睡眠具。
【請求項５】
前記粒状体は、前記ツボを刺激するための角部を有する多面体形状の樹脂製ビーズ又は木片であることを特徴とする請求項１乃至４の何れかに記載の睡眠具。
【考案の詳細な説明】
【技術分野】
【０００１】
本考案は、眠気を促進して不眠症を解消する睡眠具に関する。
【背景技術】
【０００２】
眠気を促進する睡眠具としては安眠枕があり、種々のタイプの枕が使用されている。その中でも、頸部の後ろ側及びこの両側のツボを刺激する半円形状の凹部を上面に形成すると共に、凹部に遠赤外線輻射布材を使用して成る安眠枕が知られている（例えば、特許文献１を参照）。
【０００３】
また、Ｕ字筒状をした枕袋の内側底部に、硬質のパイプが横に寝せて収容されると共に、該パイプの収容部と枕袋の両先端部を除いた枕袋の内部に、枕充填材が充填されて、該枕充填材が充填されていない枕袋の両先端部が、その結び合わせ箇所を変更調整可能に互いに結び合わせてドーナツ型状にした安眠枕も知られている（例えば、特許文献２を参照）。
【先行技術文献】
【特許文献】
【０００４】
【特許文献１】特開平１１−２４４１１３号公報
【特許文献２】実用新案登録第３０８９２９２号公報
【考案の概要】
【考案が解決しようとする課題】
【０００５】
特許文献１の安眠枕は頸部のツボを刺激することで眠りを誘うものである。そして、特許文献２の安眠枕は、熟睡できるよう就寝時に頸椎を立ったままの自然体に近い状態に伸ばす構造としている。
【０００６】
ところで、質の良い眠りを得るには、副交感神経の働きを活性化させて身体をリラックスさせるのがよいとされている。しかしながら、頸部のツボを刺激したり或いは頸部を伸ばしたりするだけでは、周囲の環境や身体が興奮状態にある場合など状況によっては、スムーズに眠りに入れないことがある。
【０００７】
上記点から本考案は、副交感神経を効果的に活性化させることでスムーズに眠りに入れる睡眠具を提供することを目的としている。
【課題を解決するための手段】
【０００８】
上記課題を解決するために、本考案による睡眠具は、使用者の少なくとも両目、両こめかみ及び頸部を被覆する長さを有する細長形状のタオル地の布材と、前記布材の長手方向での中央に形成される袋部に内包される多数の粒状体と、前記袋部を挟む両側にそれぞれ設けられた複数の収納ポケットと、通電により発熱するヒーター線が装着されており前記収納ポケットにそれぞれ保持される面発熱体と、使用時に前記布材を、前記袋部で使用者の頸部に当たり、前記収納ポケットで使用者の両目及び両こめかみの周囲のツボと接触するよう固定する固定部と、を備える。前記面発熱体は、３７℃から４０℃の範囲内で発熱するのが好適である。
【０００９】
或る実施形態では、前記面発熱体は、ヒーター線への通電で発熱し、前記ヒーター線にＰＴＣ特性を利用した電流制限素子を接続して構成することで、面発熱体が特定の温度まで上昇すると電流制限素子の抵抗が急激に増加して流れる電流を小さくすることで温度上昇を阻止できる。
【００１０】
また、前記ヒーター線への通電を制御する通電タイマーによって前記面発熱体の発熱を開始から一定時間後に停止させるとよい。これにより、眠りに入ったときの副交感神経が交感神経より優位な状態を維持できるため熟睡することができる。また、長時間の加温による低温火傷の虞もなくなる。
【００１１】
そして、前記粒状体を多面体形状の樹脂製ビーズ又は木片とすれば、頸部のツボが粒状体の角部で効果的に刺激できる。
【考案の効果】
【００１２】
本考案による睡眠具を使用すれば、頸部のツボを刺激すると同時に、両目の周辺を温め副交感神経の活性化を促すために、スムーズに眠りに入り易い。
【図面の簡単な説明】
【００１３】
【図１】本考案に係る睡眠具の平面図を示す。
【図２】面発熱体の構成を平面図で示す。
【図３】面発熱体の電気的な構成図を示す。
【図４】本考案に係る睡眠具を使用した状態の説明図を示す。
【考案を実施するための形態】
【００１４】
以下、本考案の実施の形態を図面に基づき具体的に説明する。図１は本考案の一実施形態である睡眠具１を示している。睡眠具１の本体は、使用者の少なくとも両目、両こめかみ及び頸部を被覆する長さを有する細長形状の布材２で構成されている。布材２は、図２に示すように、中央で使用者の後ろ側の頸部と接して、両端で使用者の両こめかみ及び両目を被覆できるだけの十分な長手方向の寸法及び幅寸法を有する。よって、布材２は人の肌に直接接触するために、肌触りや吸汗性に優れたタオル地で形成される。
【００１５】
布材２は使用者の後ろ側の頸部と接する部分は二重構造で形成される袋部３を備えて、袋部３には充填された多数の粒状体４を密封して保持する詰袋１４が収容される。粒状体４は角部を有する樹脂製ビーズ又は木片チップで構成されており、布材２が中央部分で使用者の頸部の後ろ側に接したとき、粒状体４の角部によって頸部にある天柱、風池の各ツボが刺激される。詰袋１４の素材には、強度を有する繊維、例えばポリエステルなどの合成繊維やレーヨン，キュプラなどの再生繊維が用いられて、布材２を粒状体４の角部での圧迫による破損から保護している。
【００１６】
布材２の袋部３の両側には、袋部３を使用者の後ろ側の頸部に当てたとき、使用者の両側のこめかみとそれぞれ対向する一対の収納ポケット５と、使用者の両目とそれぞれ対向する一対の収納ポケット６とが設けられている。４個の各収納ポケット５，６には面発熱体７が挿入されて保持されている。
【００１７】
本実施の形態での面発熱体７は通電によって発熱する。面発熱体７は、熱伝導性、絶縁性、難燃性に優れた樹脂、例えばポリエチレンやポリカーボネート系樹脂組成物及びその成形体で形成される樹脂板８の内部にビニールで被覆された高抵抗導電体のヒーター線９と後述する電流制限素子１１が埋設されている。ヒーター線９の埋設は、樹脂板８の射出成型時に埋め込んで固定して形成されるか、或いは２枚の樹脂板８の一方の表面に形成した溝にヒーター線９を配置して他方の樹脂板８を被せて貼り合せることで構成される。
【００１８】
樹脂板８は、外径が３ｃｍ程度の略丸い板で構成すれば、収納ポケット５，６に保持された面発熱体７は使用者の個人差に係わらず、こめかみと目にそれぞれ対応して温めることができる。そして、収納ポケット５，６は、このような大きさの樹脂板８が収まり固定される寸法に設定されている。
【００１９】
図３は、面発熱体７の電気的構成図を示し、各収納ポケット５，６に収納される４個の面発熱体７の各ヒーター線９は、家庭用のコンセントから通電タイマー１０を経て交流電源が供給される給電ラインＬ１，Ｌ２間にコネクタ１２を介しそれぞれＰＴＣ特性を利用した電流制限素子１１と共に接続されている。電流制限素子１１はＰＴＣサーミスタで構成されて、樹脂板８の温度を検知し、特定の温度まで上昇すると、ＰＴＣサーミスタの抵抗が急激に増加して流れる電流を小さくすることで略１８Ｗから２０Ｗ程度に保持して、温度が３７℃から４０℃の範囲内で収まるよう設定されている。この温度は人の体温より僅かに高い温度であり、顔に当てても熱いと感じることがない。この場合、給電ラインＬ１，Ｌ２は、家庭用のコンセントに差し込まれたＡＣアダプタに発生する直流電源を供給する構成であってもよい。
【００２０】
睡眠具１は、図４に示すように、布材２が袋部３で使用者の頸部の後ろ側と接して、収納ポケット５，６が両側のこめかみと両目とそれぞれ対向するように布材２を使用者の顔に巻いて使用される。そのため布材２は、顔に巻かれたとき重なり合う両端に面ファスナー１３を備える。面ファスナー１３は、その一組のフック面とカール面とで布材２の両側端を貼り合せて固定するように、布材２の一方の側端の表側と他方の側端の裏にそれぞれ取り付けられる。このような固定部は、面ファスナー１３に限らず、ボタンとボタンホール又はスナップボタン等の種々の接合具が使用できる。
【００２１】
通電により面発熱体７の発熱で両目及びこめかみの周辺と耳とが温められると、その周囲の筋肉が弛緩して血行が良くなりリラックスできる。また、目の周辺には、さん竹、瞳子りょう、睛明の各ツボがあり、耳には自律神経の交感神経と副交感神経とを調整するツボである神門やその他の体の各部位のツボが密集しており、面発熱体７はこれらのツボを温熱刺激する。
【００２２】
上記構成の睡眠具１を使用すると、布材２の袋部３が使用者の頸部に当たり粒状体４が頸部の各ツボを刺激すると共に、面発熱体７が目、こめかみ、耳を温めてこれらにある各ツボを温熱刺激することで、自律神経が整えられて快眠につながる。すなわち、自律神経には交感神経と副交感神経の２種類があり、これらツボを刺激することで、心身をリラックスさせて身体を修復させると副交感神経が交感神経より優位な状態となる。
【００２３】
ヒーター線９は、動作開始後から最大でも３０分以内に通電タイマー１０によって通電が遮断される。眠りに入るときにはリラックスできる副交感神経が交感神経より優位な状態とするが、眠りに入って体温が徐々に下がり出したとき、布材２が面発熱体７によって温かい状態のままであると交感神経が再び優位となり却って熟睡できなくなる。そこで、ヒーター線９の通電を遮断することで、副交感神経が優位な状態を維持する。また、長時間の加温による低温火傷を防ぐことにもなり、電源遮断後は、フェイスマスク２による光のシャットアウトで目が休まり安眠状態を保つことができる。
【００２４】
以上の構成の睡眠具１を就寝時に使用すれば、布材２は枕１２によって袋部３が頸部に押し付けられて、頸部に接する袋部３に収納されている粒状体４が頸部の天柱、風池のツボを刺激し、且つ面発熱体７が両目及びこめかみの周辺と耳のツボを温熱刺激することで、副交感神経の活性化が促される。加えて、面発熱体７によって耳、こめかみ、目が温められることから、血行が良くなりリラックスできることからもスムーズに眠りに入り易くなる。
【符号の説明】
【００２５】
１      睡眠具
２      布材
３      袋部
４      粒状体
５、６  収納ポケット
７      面発熱体
９      ヒーター線
１０    通電タイマー
１１    ＰＴＣサーミスタ（電流制限素子）
１３    面ファスナー（固定部）
【図１】
0003218332.tif 000003
【図２】
0003218332.tif 000004
【図３】
0003218332.tif 000005
【図４】
0003218332.tif 000006